(57)【要約】  【課題】  優れた機械的強度を有し、且、施工作業を容易に実行しうる雨水等処理施設用構造体、雨水等処理施設用構造体ブロック、及び、これを用いた雨水等処理施設を提供する。  【解決手段】  第１及び第２の半割り部材１０、２０は、アーチ状である。中間板３１は、板面の一面３１５、及び、他面３１６において、対向辺に溝状の第１の嵌合部３１１、及び、第２の嵌合部３１２を備えている。第１及び第２の半割り部材１０、２０は、中間板３１の一面３１５、及び、他面３１６のそれぞれにおいて、両端縁１３、１４が、第１及び第２の嵌合部３１１、３１２に嵌合されている、  上述した構造体１は、周囲が透水／遮水層５により被覆されて地中に埋設され、雨水等処理施設に用いられる。【選択図】  図１
2006342584.tif 000002
【特許請求の範囲】
【請求項１】
２つの半割り部材と、中間板とを含む雨水処理施設用構造体であって、
前記半割り部材は、アーチ状であり、
前記中間板は、板面の一面、及び、他面において、対向辺に溝状の嵌合部を備えており、
前記２つの半割り部材は、前記中間板の前記一面、及び、前記他面のそれぞれにおいて、両端縁が前記嵌合部に嵌合されている、
雨水等処理施設用構造体。
【請求項２】
複数の構造体を含む雨水等処理施設用構造体ブロックであって、
前記構造体は、請求項１に記載されたものであり、複数が、幅方向、長手方向、又は、高さ方向に並べられている、
雨水等処理施設用構造体ブロック。
【請求項３】
請求項２に記載された雨水等処理施設用構造体ブロックであって、
前記複数の構造体のうち、幅方向に隣接する前記構造体は、前記中間板が互いに連結されている雨水等処理施設用構造体ブロック。
【請求項４】
雨水等処理施設用構造体ブロックを含む雨水等処理施設であって、
前記雨水等処理施設用構造体ブロックは、請求項２又は３に記載されたものでなり、周囲が透水層または遮水層の何れかにより被覆されて地中に埋設されている、
雨水等処理施設。
【発明の詳細な説明】
【技術分野】
【０００１】
本発明は、雨水等処理施設用構造体（以下、単に構造体と称する）、雨水等処理施設用構造体ブロック（以下、単に構造体ブロックと称する）、及び、これらを用いた雨水等処理施設に関する。
【背景技術】
【０００２】
雨水等処理施設には、雨水等を地中に排出して緩やかに浸透させるために埋設される浸透トレンチや、集水した雨水等を貯留するために埋設される雨水等貯留施設、さらには集水した雨水等を一時的に貯留してのち、地中に排出して緩やかに浸透させるために埋設される雨水等貯留浸透施設などがある。
【０００３】
この種の雨水等処理施設は、通常、何らかの構造体を内蔵している。例えば、浸透トレンチは、透水管と、充填砕石と、透水シートとを含み、透水管に雨水等を流入させるとともに、透水管から雨水等を地中に排出し、且、充填砕石を通して地中へ分散浸透させる。特許文献１に示す浸透トレンチにおいて、透水管には、２つの半割り部材が上下反転して筒状に組み合わされている構造体が用いられている。
【０００４】
また、特許文献２及び３に示す雨水等処理施設は、設置穴の内部に複数の半割り部材、及び、これらを組み合わせた構造体が配置されている。構造体は、設置穴の内壁面の崩壊を防止し、雨水等の貯留空間を確保する。
【０００５】
上述したように、この種の雨水等処理施設に用いられる構造体は、いずれも地中に埋設されるものであるから、周囲から加えられる土圧に対抗しうる機械的強度を備えていることが重要である。
【０００６】
また、この種の雨水等処理施設は広い設置面積を要するため、道路や駐車場の地下に設置されることが多い。従って、構造体は、車両の往来や、駐車時の車両重量など、特に、地表面から垂直方向に加えられる押し圧力に対して、優れた機械的強度を備えていることが重要である。
【０００７】
しかし、特許文献１乃至３に開示されているように、この種の構造体において、２つの半割り部材が上下反転して筒状に組み合わされている構造によると、組み合わせ面の結合強度を充分に確保することができなかった。特に、構造体は、地表面からの垂直方向に加えられる押し圧力に対して弱くなる傾向にあり、組み合わせ面に沿って水平方向に変形してしまう問題を生じていた。
【特許文献１】特開２００２−１２９６３９号公報
【特許文献２】特開２０００−００８３１２号公報
【特許文献３】特開２０００−００８３１３号公報
【発明の開示】
【発明が解決しようとする課題】
【０００８】
本発明の課題は、優れた機械的強度を有する構造体、構造体ブロック、及び、これらを用いた雨水等処理施設を提供することである。
【０００９】
本発明のもう１つの課題は、運搬、移動、組み立て配置等の施工作業を容易に実行しうる構造体、構造体ブロック、及び、これらを用いた雨水等処理施設を提供することである。
【課題を解決するための手段】
【００１０】
上述した課題を解決するため、本発明に係る構造体は、２つの半割り部材と、中間板とを含む。半割り部材は、アーチ状である。中間板は、板面の一面、及び、他面において、対向辺に溝状の嵌合部を備えている。２つの半割り部材は、中間板の一面、及び、他面のそれぞれにおいて、両端縁が、嵌合部に嵌合されている。
【００１１】
上述したように、構造体は、半割り部材と、中間板とに分離されているから、嵩張らない態様で運搬することができる。
【００１２】
構造体は、半割り部材のアーチ状の両端縁が、中間板の一面及び他面のそれぞれにおいて嵌合部に嵌合され、中間板を介して筒状に組み合わされているから、筒状の内部空間を雨水等の流路又は貯留空間として利用することができる。
【００１３】
また、半割り部材のアーチ状の両端縁は、中間板の嵌合部に嵌合されているから、構造体に押し圧力が加えられ、半割り部材の両端縁が広がる方向に変形しようとした場合、両端縁の変形移動を中間板との嵌合構造より制御することができる。従って、優れた機械的強度を有する構造体を得ることができる。
【００１４】
さらに、半割り部材のアーチ状の両端縁は、中間板の嵌合部に嵌合されているから、構造体の組み合わせ配置作業において、別途結合部材を用いる必要がない。従って、構造体の組み合わせ配置作業を、容易、且、安価に実行することができる。
【００１５】
本発明の好ましい態様において、構造体は、複数が、幅方向、長手方向、又は、高さ方向に並べられて構造体ブロックを構成する。この構成によると、構造体ブロックは、雨水等処理施設に用いた場合に、様々な施工条件に追従することができる。例えば、構造体ブロックは、複数の構造体を長手方向に連続して配置することにより、浸透トレンチに用いた場合に、流路の全長を調節することができる。また、複数の構造体を幅方向、及び、高さ方向に積層配置することにより、雨水等貯留施設、及び、雨水等貯留浸透施設に用いた場合に、雨水等の貯留空間を調節することができる。
【００１６】
本発明のもう一つの好ましい態様において、構造体ブロックは、幅方向に隣接する中間板の端縁が連結されている。この構造によると、構造体ブロックは、構造的な一体性に優れ、良好な機械的強度を有することができる。
【００１７】
上述した構造体、又は、構造体ブロックは、それぞれ透水層又は遮水層と組み合わされて、雨水等処理施設に用いられる。本発明に係る雨水等処理施設において、構造体又は構造体ブロックは、周囲が透水層又は遮水層により被覆されて地中に埋設される。
【００１８】
本発明に係る雨水等処理施設は、上述した構造体又は構造体ブロックを含むから、上述した利点を全て含む。例えば、構造体又は構造体ブロックは、半割り部材のアーチ状の両端縁は、中間板の嵌合部に嵌合されているから、雨水等処理施設が道路や駐車場の地下に設置されたとしても、地表面から加えられる押し圧力により変形することなく、優れた機械的強度を安定的に維持することができる。
【００１９】
また、構造体又は構造体ブロックは、優れた機械的強度を有するから、従来のように構造体の周囲に充填砕石を敷設する必要はない。従って、雨水等処理施設の製造コストおよび施工コストを低減することができるとともに、広い雨水等の貯留空間を確保することができる。
【００２０】
本発明の他の目的、構成及び利点については、添付図面を参照し、更に詳しく説明する。添付図面は、単に、例示に過ぎない。
【発明の効果】
【００２１】
以上述べたように、本発明によれば、次のような効果を得ることができる。
（１）優れた機械的強度を有する構造体、構造体ブロック、及び、これらを用いた雨水等処理施設を提供することができる。
（２）運搬、移動、組み立て配置等の施工作業を容易に実行しうる構造体、構造体ブロック、及び、これらを用いた雨水等処理施設を提供することができる。
【発明を実施するための最良の形態】
【００２２】
図１は本発明に係る構造体の斜視図、図２は図１に示した構造体の組み立て構造を示す斜視図である。
【００２３】
また、構造体を構成する半割り部材について、図３は図１及び図２に示した半割り部材の平面図、図４は図３の４−４線に沿った断面図、図５は図１及び図２に示した中間板の平面図である。
【００２４】
さらに、構造体を構成する中間板について、図６は図５に示した中間板の正面図、図７は図６に示した中間板の正面図について一部を拡大して示す図、図８は図５に示した中間板の一部を破断して示す側面図である。
【００２５】
図１及び図８を参照すると、本発明の一実施形態に係る構造体は、第１の半割り部材１０と、第２の半割り部材２０と、中間板３１とを含む。これらは、ポリエチレン（ＰＥ）、ポリプロピレン（ＰＰ）、塩化ビニル樹脂（ＰＶＣ）等の適当な合成樹脂材料、または、合成樹脂材料と無機粉体とを混合した複合材料を用いた成型品として構成することができる。
【００２６】
まず、構造体を構成する半割り部材について、図１乃至図４を参照すると、第１の半割り部材１０は、アーチ状であって、縦リブ１１と、横リブ１２と、両端縁１３、１４と、天面部分１５を含む。
【００２７】
縦リブ１１は、天面部分１５において、内周側に突出する（図４参照）とともに、長手方向ａ１に沿って断続的に備えられている。この縦リブ１１の構造により、天面部分１５には、縦リブ１１の形成部分以外の面１５１及び１５２が、それぞれ長手方向ａ１に沿って連続するとともに、互いに平行して形成される。縦リブ１１、及び、縦リブ１１により形成される部分１５１及び１５２は、第１の半割り部材１０に必要とされる機械的強度に応じて、幅寸法、設置数、及び、設置場所等が決定される。
【００２８】
横リブ１２は、複数が、長手方向ａ１に沿って間隔ｄ１を隔てて備えられているとともに、それぞれが長手方向ａ１に直交する幅方向ｗ１に沿って条状に備えられている。即ち、横リブ１２は、長手方向ａ１に沿ってピッチ間隔ｄ１で凹凸を交互に繰り返す形状（所謂、断面波形形状）である。縦リブ１１と同様に、横リブ１２もまた、第１の半割り部材１０に必要とされる機械的強度に応じて、設置数、幅寸法、及び、ピッチ間隔ｄ１が決定される。
【００２９】
第１の半割り部材１０は、アーチ状であって、天面部分１５に相対向する位置に、開放面１６を有する。アーチ状の両端縁１３、１４は、開放面１６の両端に備えられ、それぞれ起点１５３から開放面１６と平行する広がり方向に立ち上がっている（図４参照）。即ち、図１乃至図４に示す第１の半割り部材１０は、正面視した形状が台形形状であるが、半割り部材のアーチ形状は、三角形形状、多角形形状、さらには円弧形状であってもよい。
【００３０】
第２の半割り部材２０は、第１の半割り部材１０を上下反転したものを用いることができる。第２の半割り部材２０は、アーチ状であって、縦リブ２１と、横リブ２２と、両端縁２３、２４と、底面部分２５を含む。
【００３１】
縦リブ２１は、底面部分２５において、内周側に突出するとともに、長手方向ａ１に沿って断続的に備えられている。この縦リブ２１の構造により、底面部分２５には、縦リブ２１の形成部分以外の面１５１及び１５２が、それぞれ長手方向ａ１に沿って連続するとともに、互いに平行して形成されている。
【００３２】
横リブ２２は、複数が、長手方向ａ１に沿って間隔ｄ１を隔てて備えられているとともに、それぞれが長手方向ａ１に直交する幅方向ｗ１に沿って条状に備えられている。即ち、横リブ２２は、長手方向ａ１に沿ってピッチ間隔ｄ１で凹凸を交互に繰り返す形状（所謂、断面波形形状）である。
【００３３】
第２の半割り部材２０は、アーチ状であって、底面部分２５に相対向する位置に、開放面２６を有する。両端縁２３、２４は、開放面２６の両端に備えられ、それぞれ起点２５３から開放面２６と平行する広がり方向に立ち上がっている。即ち、図１乃至図４に示す第２の半割り部材２０は、正面視した形状が台形形状である。
【００３４】
次に、構造体を構成する中間板について、主に図５乃至図７を参照すると、中間板３１は、基板部分３１０と、第１の嵌合部３１１と、第２の嵌合部３１２とを備えている。
【００３５】
第１の嵌合部３１１は、凹溝状であって、中間板３１の一面３１５及び他面３１６において、少なくとも１組の対向辺に沿って連続して備えられている。より詳細に説明すると、第１の嵌合部３１１は、一面３１５及び他面３１６の相対する位置に、それぞれ第１の突壁部３１７と、第２の突壁部３１８とを有する。第１の突壁部３１７は中間板３１の外周側に備えられており、中間板３１の板面Ｓ０から高さｈ２で立ち上がっている。第２の突壁部３１８は中間板３１の内周側に備えられており、中間板３１の板面Ｓ０から高さｈ２で立ち上がっている。
【００３６】
第１の嵌合部３１１は、第１及び第２の突壁部３１７、３１８が、間隔ｄ２を隔てて対向して備えられており、中間板３１の板面Ｓ０、及び、向かい合う第１の突壁部３１７の内側面Ｓ１と、第２の突壁部３１８の内側面Ｓ２により凹溝状に形成されている。第１及び第２の突壁部３１７、３１８は、第１又は第２の半割り部材１０、２０を挟持するために備えられるから、上端に内向きフック等の係止構造を有することもできる。
【００３７】
また、第２の突壁部３１８の内側面Ｓ２は、好ましくは内側方向に立ち上がるテーパ面を有する（図６参照）。第２の突壁部３１８の内側面Ｓ２がテーパ面を有する構成によると、第１又は第２の半割り部材１０、２０を第１の嵌合部３１１に組み合わせたときに、両端縁を、テーパ面に沿って凹溝状の内部に案内することができる。
【００３８】
第２の嵌合部３１２は、第１の嵌合部３１１を左右反転した形状を有する。即ち、第２の嵌合部３１２は、凹溝状であって、一面３１５及び他面３１６において、少なくとも１組の対向辺に沿って連続して備えられている。より詳細に説明すると、第２の嵌合部３１２は、一面３１５及び他面３１６の相対する位置に、それぞれ第１の突壁部３１７と、第２の突壁部３１８とを有する。
【００３９】
第２の嵌合部３１２は、第１及び第２の突壁部３１７、３１８が、間隔ｄ２を隔てて対向して備えられており、中間板３１の板面Ｓ０と、第１及び第２の突壁部３１７、３１８の向かい合う内側面Ｓ１、Ｓ２により凹溝状に形成されている。
【００４０】
さらに、中間板３１は、好ましくは、第１及び第２の嵌合部３１１、３１２に挟まれている基板部分３１０が、断面波形形状になっている（図７参照）。即ち、基板部分３１０は、長手方向ａ１に交互に凹凸を繰り返して延びており、且、それぞれが長手方向ａ１に直交する幅方向ｗ１に沿って条状に備えられている。
【００４１】
再び図１及び図８を参照して説明する。第１及び第２の半割り部材１０、２０と、中間板３１との組み合わせについて、第１の半割り部材１０は、一面３１５において、両端縁１３及び１４が、それぞれ第１及び第２の嵌合部３１１、３１２に嵌合されている。同様に、第２の半割り部材２０は、他面３１６において、両端縁２３及び２４が、それぞれ第１及び第２の嵌合部３１１、３１２に嵌合されている。
【００４２】
両者の組み合わせについて、例えば第１の半割り部材１０は、両端縁１３、１４が、第１及び第２の嵌合部３１１、３１２のそれぞれにおいて、第１の及び第２の突壁部３１７、３１８の相対抗面間に挿入され、その際に生じる凹凸嵌合により、中間板３１の一面３１５に結合される。両端縁１３、１４は、第１及び第２の嵌合部３１１、３１２の内部において、好ましくは第１の突壁部３１７の内側面Ｓ１に接触し、保持されている。
【００４３】
構造体は、雨水等処理施設に用いられる場合には、好ましくは第１及び第２の半割り部材１０、２０、中間板３１にそれぞれ、通水孔（図示しない）が備えられる。構造体は、合成樹脂材料でなるから、例えば通水孔の穿設加工を容易に行うことができる。
【００４４】
上述したように、構造体は、第１及び第２の半割り部材１０、２０と、中間板３１とに分離されているから、中間板３１、第１及び第２の半割り部材１０、２０を、嵩張ることのない態様で輸送することができる。従って、輸送コストが低減される共に、輸送が容易になる。具体的には、第１及び第２の半割り部材１０、２０は広口形状であるから、同一向きに重ねることにより嵩張りを回避し得る。また、図示の中間板３１は平板状であり、嵩張らない状態で重ねて輸送できる。
【００４５】
第１及び第２の半割り部材１０、２０は、縦リブ１１と、横リブ１２とを含む。縦リブ１１は、長手方向ａ１に沿って備えられている。横リブ１２は、複数が長手方向ａ１に沿って間隔ｄ１を隔てて備えられているとともに、それぞれが幅方向ｗ１に沿って条状に備えられている。この構成によると構造体は、全周方向からの加圧力に対して優れた機械的強度を備えることができる。
【００４６】
さらに、第１及び第２の半割り部材１０、２０は、縦リブ１１と、横リブ１２とを有しており、機械的強度に優れているので、薄型に成形することができる。従って、第１及び第２の半割り部材１０、２０は、軽量であって、運搬、移動、組み立て配置等の施工作業を容易に実行することができる。
【００４７】
第１及び第２の半割り部材１０、２０は、両端縁１３及び１４（２３及び２４）が、開放面１６（２６）の両端に備えられ、且、起点１５３（２５３）から開放面１６と平行する方向に広がっているから、第１及び第２の半割り部材１０、２０を筒状に組み合わせた場合に広い内部空間を有することができる。従って、構造体を雨水等処理施設に用いた場合に、空間率の高い筒状の内部空間を、雨水等の流路または貯留空間として利用することができる。
【００４８】
中間板３１は、一面３１５及び他面３１６において、少なくとも１組の対向辺に、第１及び第２の嵌合部３１１、３１２が備えられている。第１及び第２の半割り部材１０、２０は、一面３１５及び他面３１６のそれぞれにおいて、両端縁１３及び１４（２３及び２４）が、第１及び第２の嵌合部３１１、３１２に嵌合されている構成によると、構造体に対して押し圧力が加えられ、第１及び第２の半割り部材１０、２０が開放面１６（２６）と平行する方向に変形しようとした場合、両端縁１３及び１４（２３及び２４）の変形移動を、第１及び第２の嵌合部３１１、３１２により制御することができる。従って構造体は、優れた機械的強度を有することができる。
【００４９】
また、第１及び第２の半割り部材１０、２０は、一面３１５及び他面３１６のそれぞれにおいて、両端縁１３及び１４（２３及び２４）が、第１及び第２の嵌合部３１１、３１２に嵌合されているから、構造体の組み立て作業において、別途結合部材を用いる必要がなくなる。従って、構造体の組み立て作業を、容易、且、安価に実行することができる。
【００５０】
図１及び図８に示した構造体は、透水層などと組み合わされて、雨水等処理施設を構成する。次に、本発明の一実施形態に係る構造体を用いた雨水等処理施設について説明する。図９は本発明に係る雨水等処理施設について一部を省略して示す側面断面図、図１０は図９に示した雨水等処理施設の正面断面図である。図９及び図１０において、図１及び図８に図示した構成部分と同一の構成部分には、同一の参照符号を付す。
【００５１】
本発明の一実施形態に係る雨水等処理施設において、構造体１は、複数が長手方向ａ１に配置され、周囲が透水層５により被覆されて地中に埋設されている。より詳細に説明すると、図９及び図１０に示す雨水等処理施設は、所謂、浸透トレンチである。構造体１は、好ましくは、地表面Ｇからの埋設深さが５００〜６００ｍｍとなるように埋設されている。雨水等処理施設は、構造体１の周囲が不織布等の透水層５によって覆われており、透水層５を通じて構造体１の内部を流れる雨水等が地中に排出されるとともに、透水層５により構造体１の内部への土砂の流入が阻止されている。
【００５２】
本発明の一実施形態に係る雨水等処理施設は、図１及び図８を参照して説明した構造体１を含むから、上述した利点を全て有する。例えば、構造体１は、第１及び第２の半割り部材１０、２０の両端縁１３及び１４（２３及び２４）が、それぞれ第１及び第２の嵌合部３１１、３１２に嵌合されているから、雨水等処理施設が道路や駐車場の地下に設置されたとしても、地表面Ｇから加えられる押し圧力により変形する問題は生じない。従って、構造体１、及び、これを含む雨水等処理施設は、優れた機械的強度を有するとともに、これを安定的に維持することができる。
【００５３】
また、構造体１は、優れた機械的強度を有するとともに、筒状の内部に広い流路空間を有するから、従来のように構造体１の周囲に充填砕石を敷設する必要はない。従って、雨水等処理施設の製造コストおよび施工コストを低減することができる。
【００５４】
図９及び図１０において、構造体１が、雨水等貯留浸透施設に用いられる場合、好ましくは、中間板３１、第１及び第２の半割り部材１０、２０の面内には、通水孔（図示しない）が備えられるから、外部配管（図示しない）から構造体１の内部に流入した雨水等を、通水孔（図示しない）、及び、透水層５を通して地中に浸透させることができる。
【００５５】
第１及び第２の半割り部材１０、２０は、両端縁１３及び１４（２３及び２４）が、第１及び第２の嵌合部３１１、３１２に嵌合されているから、周囲からの土圧や、特に地表Ｇから加わる押し圧力によって、第１及び第２の半割り部材１０、２０が幅方向ｗ１に広がろうとする変形が中間板３１により制御される。従って、構造体１は、地表面Ｇから加わる押し圧力に対して十分な機械的強度を確保することができる。
【００５６】
また、構造体１は、地中に埋設されており、土圧により周囲から常時加圧される状態にあるから、その土圧を利用して第１及び第２の半割り部材１０、２０と、中間板３１とが強固に結合される。従って、構造体１は、地表Ｇから加わる押し圧力に対して十分な機械的強度を備えていれば、その組み立てに際してビスや止め具等の結合部材を用いる必要がなく、組み立て、配置作業を容易に実行することができる。
【００５７】
図９及び図１０において、不織布等の透水層５を、ビニールシート等の遮水層５に替え、遮水層５によって構造体１の周囲を覆えば、雨水等貯留施設を構成できる。
【００５８】
以上の説明は、最初に述べたように、最小単位としての構造体を用いた場合の雨水等処理施設として、所謂、浸透トレンチに適用した場合の実施形態である。本発明に係る構造体は、複数を連続して配置することにより構造体ブロックを構成し、より大型の雨水等処理施設に用いることもできる。図１１は本発明に係る構造体ブロックの斜視図である。また、構造体ブロックを構成する中間板について、図１２は図１０に示した構造体ブロックにおいて中間板の分解構造を示す平面図、図１３は図１１に示した構造体ブロックにおいて中間板の組み立て状態を示す平面図、図１４は図１３の一部を拡大して示す正面図である。図１１乃至図１４において、図１乃至図８に図示した構成部分と同一の構成部分には、同一の参照符号を付す。
【００５９】
図１１乃至図１４に示す構造体ブロックは、図１及び図８を参照して説明した構造体１を複数用いて幅方向ｗ１、及び、高さ方向ｈ１に積層配置したものでなる。図１１では省略しているが、構造体１は、長手方向ａ１に連接配置することもできる。図１１乃至図１４に示す構造体ブロックは、図１及び図８を参照して説明した構造体と同様の構造及び利点を有する。
【００６０】
さらに、図１１乃至図１４を参照すると、本発明の一実施形態に係る構造体ブロックは、幅方向ｗ１に隣接する中間板３１の対向辺が連結されている構造に特長がある。図１１を参照してより詳細に説明すると、本発明の一実施形態に係る構造体ブロックは、それぞれ形態の異なる第１〜第３の中間板３３〜３３を有している。
【００６１】
第１の中間板３１は、第１の嵌合部３１１と、第２の嵌合部３１２とを有する。第１の嵌合部３１１は、図１乃至図８を参照して説明した第１の嵌合部３１１と同一の構造であって、一面３１５及び他面３１６において、対向辺に沿って連続して備えられている。第１の嵌合部３１１は、間隔ｄ２を隔てて対向する第１及び第２の突壁部３１７、３１８を有しており、中間板３１の板面Ｓ０と、第１の突壁部３１７の側面Ｓ１、及び、第２の突壁部３１８の側面Ｓ２により凹溝状に形成されている（図７参照）。
【００６２】
一方、第２の嵌合部３１２は、一面３１５及び他面３１６において、第１の嵌合部３１１に相対向する対向辺に沿って断続的に備えられている。第２の嵌合部３１２は、平面視した形状が凹凸状に形成されており、且、凸状部分に間隔ｄ２を隔てて対向する第１〜第３の突壁部３１７〜３１９を有している。第２の嵌合部３１２は、第１〜第３の突壁部３１７〜３１９の相互間において、中間板３１の板面Ｓ０、第１の突壁部３１７の側面Ｓ１、第２の突壁部３１８の側面Ｓ２、及び、第３の突壁部３１９の両側面Ｓ３により、第１及び第２の凹溝３１３、３１４が形成されている（図７参照）。
【００６３】
第２の中間板３２は、第１の嵌合部３２１と、第２の嵌合部３２２とを有する。第１及び第２の嵌合部３２１、３２２のそれぞれは、一面３２５及び他面３２６において、対向辺に沿って断続的に備えられている。第１及び第２の嵌合部３２１、３２２は、平面視した形状が凹凸状に形成されており、且、凸状部分に間隔ｄ２を隔てて対向する第１〜第３の突壁部３２７〜３２９を有している。第１及び第２の嵌合部３２１、３２２は、第１〜第３の突壁部３２７〜３２９の相互間において、中間板３２の板面Ｓ０、第２の突壁部３２７の側面Ｓ１、第２の突壁部３２８の側面Ｓ２、及び、第３の突壁部３２９の両側面Ｓ３により、第１及び第２の凹溝３２３、３２４が形成されている（図１４参照）。
【００６４】
さらに、第３の中間板３３は、第１の嵌合部３３１と、第２の嵌合部３３２とを有する。第１の嵌合部３３１は、一面３３５及び他面３３６において、対向辺に沿って断続的に備えられている。第１の嵌合部３３１は、平面視した形状が凹凸状に形成されており、且、凸状部分に間隔ｄ２を隔てて対向する第１〜第３の突壁部３３７〜３３９を有している。第１及び第２の嵌合部３２１、３２２は、第１〜第３の突壁部３３７〜３３９の相互間において、中間板３３の板面Ｓ０、第２の突壁部３３７の側面Ｓ１、第２の突壁部３３８の側面Ｓ２、及び、第３の突壁部３３９の両側面Ｓ３により凹溝状部分が２つ備えている（図１４参照）。
【００６５】
一方、第２の嵌合部３３２は、一面３３５及び他面３３６において、対向辺に沿って連続して備えられている。第２の嵌合部３３２は、間隔ｄ２を隔てて対向する第１及び第２の突壁部３３７、３３８を有しており、中間板３３の板面Ｓ０と、第１の突壁部３３７の側面Ｓ１、及び、第２の突壁部３３８の側面Ｓ２により、凹溝状に形成されている。
第１〜第３の中間板３３〜３３は、隣接する中間板３１〜３３において、対応する凹凸形状の嵌合部が相互に嵌合されて、平板状に配置されている。
【００６６】
より具体的に説明すると、例えば、第１の中間板３１と、第２の中間板３２とは、第２の嵌合部３１２と、これに対応する第１の嵌合部３２１が、互いに凹凸嵌合可能な凹凸形状を有している。そして第１の中間板３１と、第２の中間板３２とを嵌合した場合、第２の嵌合部３１２が有する第１及び第２の凹溝３１３、３１４と、第１の嵌合部３２１が有する第１及び第２の凹溝３２３、３２４とが、一体的に組み合わされ、両者の組み合わせ部分に、長手方向ａ１に直通する凹溝がそれぞれ形成される。
【００６７】
同様に、第２の中間板３２と、第３の中間板３３とは、第２の嵌合部３２２と、これに対応する第１の嵌合部３３１が、互いに凹凸嵌合可能な凹凸形状を有している。そして第１の中間板３３１と、第２の中間板３２２とを嵌合した場合、第２の嵌合部３２が有する第１及び第２の凹溝３２３、３２４と、第１の嵌合部３３１が有する第１及び第２の凹溝３３３、３３４とが、一体的に組み合わされ、両者の組み合わせ部分に、長手方向ａ１に直通する凹溝がそれぞれ形成される。
【００６８】
図１４を参照すると、第１及び第２の半割り部材１０、２０は、面状に組み合わされた中間板３２、３３の一面３２５、３３５及び他面３２６、３３６において、それぞれの両端縁１３及び１４（２３及び２４）が、第１及び第２の嵌合部３２２、３３１に嵌合されている。
【００６９】
第２の中間板３２において、第２の嵌合部３２２が有する第１及び第２の凹溝３２３、３２４は、隣接する第３の中間板３３において、組み合わされる第１の嵌合部３３１が有する第１及び第２の凹溝３３３、３３４と一体的に機能し、凹溝を共有する構造となる。
【００７０】
上述した構造によると、例えば、隣接する中間板３２、３３が相互に凹凸嵌合されているから、構造体ブロックは施工作業が容易であるとともに、構造的な一体性に優れ、良好な機械的強度を有することができる。
【００７１】
また、構造体ブロックは、一面側において、第１の半割り部材１０の両端縁１３、１４が、隣接する中間板３２、３３それぞれの第１及び第２の嵌合部３２２、３３１を連通し、且、他面側において、第２の半割り部材２０の両端縁２３、２４が、隣接する中間板３２、３３それぞれの第１及び第２の嵌合部３２２、３３１を連通することにより、かんぬき的な結合効果を果たすことができるから、構造的な一体性に優れ、良好な機械的強度を有することができる。
【００７２】
さらに、構造体ブロックは、中間板３１〜３３を複数連結することにより、様々な施工条件に容易に追従することができる。例えば、図１２において、構造体ブロックは、第１及び第３の中間板３１、３３を架橋する第２の中間板３２を複数用いることにより、平面寸法を容易に調節することができる。
【００７３】
図１１乃至図１４に示した構造体ブロックは、透水層などと組み合わされて、雨水等処理施設を構成する。図１５は本発明に係る雨水等処理施設について一部を省略して示す正面断面図である。図１５において、図１乃至図１４に図示した構成部分と同一の構成部分には、同一の参照符号を付す。
【００７４】
図１５に示す雨水等処理施設は、所謂、雨水等貯留浸透施設であって、構造体ブロックには、適宜、通水孔（図示しない）が備えられており、且、周囲が不織布等の透水層５によって覆われている。図１５からは必ずしも明らかではないが、雨水等処理施設において、構造体ブロックは、軸方向ａ１（図１１参照）の両外端面部分に遮蔽板が備えられ、外部から区画された内部空間を有することが好ましい。
【００７５】
図１５に示した雨水等処理施設は、図１乃至図８に示した構造体、図９及び図１０に示した雨水等処理施設、及び、図１１乃至図１４に示した構造体ブロックの利点を全て含む。例えば、構造体１は優れた機械的強度を有するから、これらの複数を積層配置して得られた構造体ブロックは優れた機械的強度を有する。従って、本発明の一実施形態に係る雨水等処理施設の構造によると、積層される他の構造体１の重量や、周囲からの土圧、及び、地表面Ｇからの押し圧力により構造体ブロックが変形してしまう問題が解決されており、施工当初の好ましい積層配置態様を長期間に渡って維持することができる。
【００７６】
このように、構造体ブロックは、全体として優れた機械的強度を有するから、構造体１の積層配置態様を設定することにより、様々な施工条件に容易に追従し、多様な容量を有する雨水等処理施設を提供することができる。
【００７７】
しかも、従来のように構造体１の周囲に充填砕石を敷設する必要はない。従って、雨水等処理施設の製造コストおよび施工コストを低減することができる。
【００７８】
図１５において、不織布等の透水層５を、ビニールシート等の遮水層５に替え、遮水層５によって構造体ブロックの周囲を覆えば、雨水等貯留施設を構成できる。
【００７９】
以上、好ましい実施例を参照して本発明の内容を具体的に説明したが、本発明の基本的技術思想及び教示に基づいて、当業者であれば、種種の変形態様を採り得ることは自明である。
【図面の簡単な説明】
【００８０】
【図１】本発明に係る構造体の斜視図である。
【図２】図１に示した構造体の組み立て構造を示す斜視図である。
【図３】図１及び図２に示した半割り部材の平面図である。
【図４】図３の４−４線に沿った断面図である。
【図５】図１及び図２に示した中間板の平面図である。
【図６】図５に示した中間板の正面図である。
【図７】図６に示した中間板の正面図について一部を拡大して示す図である。
【図８】図５に示した中間板の一部を破断して示す側面図である。
【図９】本発明に係る雨水等処理施設について一部を省略して示す側面断面図である。
【図１０】図８に示した雨水等処理施設の正面断面図である。
【図１１】本発明に係る構造体ブロックの斜視図である。
【図１２】図１０に示した構造体ブロックにおいて中間板の分解構造を示す平面図である。
【図１３】図１１に示した構造体ブロックにおいて中間板の組み立て状態を示す平面図である。
【図１４】図１３の一部を拡大して示す正面図である。
【図１５】本発明に係る雨水等処理施設について一部を省略して示す正面断面図である。
【符号の説明】
【００８１】
１                          構造体
１０、２０                  第１及び第２の半割り部材
１１、２１                  縦リブ
１２、２２                  横リブ
１３〜１４、２３〜２４      両端縁
３１〜３３                  第１〜第３の中間板
３１１〜３３１              第１の嵌合部
３１２〜３３２              第２の嵌合部
３１５〜３３５              一面
３１６〜３３６              他面
３１７〜３３７              第１の突壁部
３１８〜３３８              第２の突壁部
３１９〜３３９              第３の突壁部
５                          透水層／遮水層
Ｇ                          地表面
ｄ１                        リブ間隔
ａ１                        長手方向
ｗ１                        幅方向
【図１】
2006342584.tif 000003
【図２】
2006342584.tif 000004
【図３】
2006342584.tif 000005
【図４】
2006342584.tif 000006
【図５】
2006342584.tif 000007
【図６】
2006342584.tif 000008
【図７】
2006342584.tif 000009
【図８】
2006342584.tif 000010
【図９】
2006342584.tif 000011
【図１０】
2006342584.tif 000012
【図１１】
2006342584.tif 000013
【図１２】
2006342584.tif 000014
【図１３】
2006342584.tif 000015
【図１４】
2006342584.tif 000016
【図１５】
2006342584.tif 000017